(57)【要約】【課題】  足置き部材の上面の高さ調整を連続的に行うことができ、これによって、ギター演奏者の高さに対する要求を充分に満足させることができる足置き台を提供すること。【解決手段】  足置き部材４と、足置き部材４の裏面の片側に一端部が揺動軸線を中心として揺動自在に連結された第１支持部材１４（第１アーム部材１８，２０）と、足置き部材４の裏面の他側に配設された係合部材３８と、第１支持部材１４に相互に旋回自在に連結された第２支持部材１６（第２アーム部材２２，２４）と、を備え、第２支持部材１６の一端部が係合部材３８に着脱自在に係合される足置き台。係合部材３８が揺動軸線に近接及び離隔する方向に移動自在に支持され、係合部材３８の移動に従い、足置き部材４の上面の高さが無段階に調整される。【選択図】  図２
2011103946.tif 000002
【特許請求の範囲】
【請求項１】
足置き部材と、前記足置き部材の裏面の片側に揺動軸線を中心として一端部が揺動自在に連結された第１支持部材と、前記足置き部材の裏面の他側に配設された係合部材と、前記第１支持部材の長さ方向中間部に相互に旋回自在に連結された第２支持部材と、を備え、前記第２支持部材の一端部が前記係合部材に着脱自在に係合される足置き台において、
前記係合部材が前記揺動軸線に近接及び離隔する方向に移動自在に支持され、前記係合部材の移動に従い、前記足置き部材の高さが無段階に調整可能であることを特徴とする足置き台。
【請求項２】
前記第１支持部材は、所定の間隔をおいて配設された一対の第１アーム部材から構成され、前記一対の第１アーム部材の一端部が前記足置き部材の裏面に前記揺動軸線を中心として揺動自在に連結され、また、前記第２支持部材は所定の間隔をおいて配設された一対の第２アーム部材から構成され、前記一対の第２アーム部材の一端部の間が連結部材を介して連結され、前記連結部材が前記係合部材に着脱自在に係合されることを特徴とする請求項１に記載の足置き台。
【請求項３】
前記足置き部材の裏面には、前記係合部材を移動案内するための移動案内機構が設けられ、前記係合部材は、前記移動案内機構によって、前記足置き部材の裏面に沿って前記揺動軸線に近接及び離隔する方向に移動案内されることを特徴とする請求項１又は２に記載の足置き台。
【請求項４】
前記移動案内機構に関連して、前記係合部材を操作移動させるための操作移動機構が設けられ、前記操作移動機構は、前記足置き部材側に回転自在に支持され且つ雄ねじ部が設けられた操作部材と、前記係合部材側に配設され且つ雌ねじ部が設けられた雌ねじ部材とから構成され、前記操作部材の前記雄ねじ部が前記雌ねじ部材の前記雌ねじ部に螺合されていることを特徴とする請求項３に記載の足置き台。
【請求項５】
前記移動案内機構は、前記足置き部材の背面に固定された案内部材と、前記案内部材に摺動自在に装着された被案内部材とを備え、前記被案内部材に前記係合部材及び前記雌ねじ部材が取り付けられており、前記第２支持部材の一端部を前記係合部材に係合させた状態において、前記操作移動機構の前記操作部材を回動操作すると、前記被案内部材が前記案内部材に沿って摺動し、これによって、前記足置き部材の高さが無段階に調整されることを特徴とする請求項４に記載の足置き台。
【請求項６】
前記移動案内機構は、前記足置き部材の裏面に配設された一対の案内レール部材と、前記一対の案内レール部材に移動自在に装着された被案内部材とを備え、前記被案内部材に前記係合部材及び前記雌ねじ部材が取り付けられており、前記第２支持部材の一端部を前記係合部材に係合させた状態において、前記操作移動機構の前記操作部材を回動操作すると、前記被案内部材が前記一対の案内レールに沿って摺動し、これによって、前記足置き部材の高さが無段階に調整されることを特徴とする請求項４に記載の足置き台。
【請求項７】
前記操作部材の前記雄ねじ部は、軸方向中間部を境界として相互に逆向きに形成された一対の雄ねじを有しており、このことに関連して、前記係合部材側には、前記雄ねじ部の前記一対の雄ねじの一方に対応した雌ねじ部が設けられた第１雌ねじ部材が設けられているとともに、前記足置き部材側には、前記雄ねじ部の前記一対の雄ねじの他方に対応した雌ねじ部が設けられた第２雌ねじ部材が設けられていることを特徴とする請求項４〜６のいずれかに記載の足置き台。
【請求項８】
前記足置き部材の上面には、前記足置き部材の上面までの高さを表示するための高さ表示部が設けられ、また前記係合部材側には指針が設けられ、前記指針は前記足置き部材を貫通して前記高さ表示部に突出し、前記係合部材の移動に伴って前記指針が前記高さ表示部に沿って移動されることを特徴とする請求項１〜７のいずれかに記載の足置き台。
【請求項９】
前記足置き部材の表面の少なくとも一部には、透明乃至半透明の樹脂プレートが配設されていることを特徴とする請求項１〜８のいずれかに記載の足置き台。
【発明の詳細な説明】
【技術分野】
【０００１】
本発明は、ギターを演奏するときに足を置くために使用する足置き台に関する。
【背景技術】
【０００２】
ギター演奏者がギターを弾く際、演奏し易くするために片足を足置き台に載せて使用することがあり、このようなときに使用する足置き台として、図７及び図８に示すものが知られている。図７及び図８において、従来の足置き台１０２は、足を載置する足置き部材１０４と、この足置き台１０４を支持する支持機構１０６とを備えている。支持機構１０６は、相互に旋回自在に連結された第１支持部材１０８及び第２支持部材１１０を備え第１支持部材１０８が一対の第１アーム部材１１２から構成され、第２支持部材１１０が一対の第２アーム部材１１４から構成され、一対の第１アーム部材１１２及び一対の第２アーム部材１１４が旋回ピン１１６を介して旋回自在に連結されている。一対の第１アーム部材１１２の一端部に対応して、足置き部材１０４の一端部の裏面に一対のブラケット１１８が取り付けられ、これらブラケット１１８に短軸１２０を介して対応する第１アーム部材１１２の一端部が揺動自在に装着されている。また、一対の第２アーム部材１１４の一端部間には連結部材１２２が設けられている。
【０００３】
この連結部材１２２に関連して、足置き部材１０４の他端部の裏面に一対の係合部材１２４が設けられ、これら係合部材１２４にはブラケット１１８に近接及び離隔する方向（図８において左下から右上の方向）に間隔をおいて複数、図示の例では３つの係合凹部１２６ａ，１２６ｂ，１２６ｃが設けられている。
【０００４】
この足置き台１０２を使用するときには、短軸１２０を中心として一対の第１アーム部材１１２を揺動させて外側に出し、そして旋回ピン１１６を中心として一対の第２アーム部材１１４を旋回させて連結部材１２２を一対の係合部材１２４の３つの係合凹部１２６ａ，１２６ｂ，１２６ｃのいずれかに係合させればよい。かく係合させると、足置き台１０２を図７に示す状態に組み立てることができ、足置き部材１０４の上面に足を載置することが可能となり、ギターの演奏の際の足置きに好都合に用いることができる。このとき、連結部材１２２を係合部材１２４の係合凹部１２６ａに係合させると、第１及び第２アーム部材１１２，１１４が最も立った状態となり、足置き部材１０４の上面は最も高い位置に位置付けられ、連結部材１２２を係合部材１２４の係合凹部１２６ｃに係合させると、第１及び第２アーム部材１１２，１１４が最も寝た状態となり、足置き部材１０４の上面は最も低い位置に位置付けられ、また連結部材１２２を係合部材１２４の係合凹部１２６ｂに係合させると、第１及び第２アーム部材１１２，１４４が中間の立った状態となり、足置き部材１０４の上面は、最高位置と最低位置との間の中間位置に位置付けられ、このように連結部材１２２の係合位置を変えることによって、足置き部材１０４の高さを調整することができる。
【発明の概要】
【発明が解決しようとする課題】
【０００５】
上述した足置き台においては、次の通りの解決すべき問題がある。即ち、足置き台１０２の上面の高さ調整は、一対の第２アーム部材１１４間を連結する連結部材１２２の係合位置を変える、換言すると、係合部材１２４の係合凹部１２６ａ，１２６ｂ，１２６ｃのどの係合箇所に係合させるかによって行うものであり、従って、足置き台の上面の高さ調整は段階的なものとなる。それ故に、その高さ調整を連続的に行うことができず、ギター奏者によっては、演奏時に要求する高さを得ることはできない。
【０００６】
本発明の目的は、足置き部材の上面の高さ調整を連続的に行うことができ、これによって、ギター演奏者の高さに対する要求を充分に満足させることができる足置き台を提供することである。
【課題を解決するための手段】
【０００７】
本発明の請求項１に記載の足置き台は、足置き部材と、前記足置き部材の裏面の片側に揺動軸線を中心として一端部が揺動自在に連結された第１支持部材と、前記足置き部材の裏面の他側に配設された係合部材と、前記第１支持部材の長さ方向中間部に相互に旋回自在に連結された第２支持部材と、を備え、前記第２支持部材の一端部が前記係合部材に着脱自在に係合される足置き台において、
前記係合部材が前記揺動軸線に近接及び離隔する方向に移動自在に支持され、前記係合部材の移動に従い、前記足置き部材の高さが無段階に調整可能であることを特徴とする。
【０００８】
また、本発明の請求項２に記載の足置き台では、前記第１支持部材は、所定の間隔をおいて配設された一対の第１アーム部材から構成され、前記一対の第１アーム部材の一端部が前記足置き部材の裏面に前記揺動軸線を中心として揺動自在に連結され、また、前記第２支持部材は所定の間隔をおいて配設された一対の第２アーム部材から構成され、前記一対の第２アーム部材の一端部の間が連結部材を介して連結され、前記連結部材が前記係合部材に着脱自在に係合されることを特徴とする。
【０００９】
また、本発明の請求項３に記載の足置き台では、前記足置き部材の裏面には、前記係合部材を移動案内するための移動案内機構が設けられ、前記係合部材は、前記移動案内機構によって、前記足置き部材の裏面に沿って前記揺動軸線に近接及び離隔する方向に移動案内されることを特徴とする。
【００１０】
また、本発明の請求項４に記載の足置き台では、前記移動案内機構に関連して、前記係合部材を操作移動させるための操作移動機構が設けられ、前記操作移動機構は、前記足置き部材側に回転自在に支持され且つ雄ねじ部が設けられた操作部材と、前記係合部材側に配設され且つ雌ねじ部が設けられた雌ねじ部材とから構成され、前記操作部材の前記雄ねじ部が前記雌ねじ部材の前記雌ねじ部に螺合されていることを特徴とする。
【００１１】
また、本発明の請求項５に記載の足置き台では、前記移動案内機構は、前記足置き部材の背面に固定された案内部材と、前記案内部材に摺動自在に装着された被案内部材とを備え、前記被案内部材に前記係合部材及び前記雌ねじ部材が取り付けられており、前記第２支持部材の一端部を前記係合部材に係合させた状態において、前記操作移動機構の前記操作部材を回動操作すると、前記被案内部材が前記案内部材に沿って摺動し、これによって、前記足置き部材の高さが無段階に調整されることを特徴とする。
【００１２】
また、本発明の請求項６に記載の足置き台では、前記移動案内機構は、前記足置き部材の裏面に配設された一対の案内レール部材と、前記一対の案内レール部材に移動自在に装着された被案内部材とを備え、前記被案内部材に前記係合部材及び前記雌ねじ部材が取り付けられており、前記第２支持部材の一端部を前記係合部材に係合させた状態において、前記操作移動機構の前記操作部材を回動操作すると、前記被案内部材が前記一対の案内レールに沿って摺動し、これによって、前記足置き部材の高さが無段階に調整されることを特徴とする。
【００１３】
また、本発明の請求項７に記載の足置き台では、前記操作部材の前記雄ねじ部は、軸方向中間部を境界として相互に逆向きに形成された一対の雄ねじを有しており、このことに関連して、前記係合部材側には、前記雄ねじ部の前記一対の雄ねじの一方に対応した雌ねじ部が設けられた第１雌ねじ部材が設けられているとともに、前記足置き部材側には、前記雄ねじ部の前記一対の雄ねじの他方に対応した雌ねじ部が設けられた第２雌ねじ部材が設けられていることを特徴とする。
【００１４】
また、本発明の請求項８に記載の足置き台では、前記足置き部材の上面には、前記足置き部材の上面までの高さを表示するための高さ表示部が設けられ、また前記係合部材側には指針が設けられ、前記指針は前記足置き部材を貫通して前記高さ表示部に突出し、前記係合部材の移動に伴って前記指針が前記高さ表示部に沿って移動されることを特徴とする。
【００１５】
更に、本発明の請求項９に記載の足置き台では、前記足置き部材の表面の少なくとも一部には、透明乃至半透明の樹脂プレートが配設されていることを特徴とする。
【発明の効果】
【００１６】
本発明の請求項１に記載の足置き台によれば、第１及び第２支持部材が相互に旋回自在に連結され、この第１支持部材の一端部が足置き部材の片側に揺動軸線を中心として揺動自在に連結され、第２支持部材の一端部が足置き部材に移動自在に支持された係合部材に係合されるので、係合部材を揺動軸線に近接する方向に移動させると、第１及び第２支持部材の傾斜が大きくなって足置き部材の上面が上昇し、またこの係合部材を揺動軸線から離隔する方向に移動させると、第１及び第２支持部材の傾斜が緩やかになって足置き部材の上面が下降し、かくして、係合部材を移動させることによって、足置き部材の高さを無段階に調整することができる。
【００１７】
また、本発明の請求項２に記載の足置き台によれば、第１支持部材は一対の第１アーム部材から構成され、これら第１アーム部材の一端部が足置き部材に揺動自在に連結され、また、前記第２支持部材は一対の第２アーム部材から構成され、これら第２アーム部材の一端部の間が連結部材を介して連結され、この連結部材が係合部材に着脱自在に係合されるので、第１及び第２アーム部材によって、足置き部材を高さ調整自在に安定して支持することができる。
【００１８】
また、本発明の請求項３に記載の足置き台によれば、足置き部材の裏面に移動案内機構が設けられ、この移動案内機構によって係合部材が移動案内されるので、係合部材を揺動軸線に近接及び離隔する方向に確実に案内移動させることができる。
【００１９】
また、本発明の請求項４に記載の足置き台によれば、操作移動機構は、足置き部材側に回転自在に支持された操作部材と、係合部材側に配設された雌ねじ部材とから構成され、操作部材の雄ねじ部が雌ねじ部材の雌ねじ部に螺合されているので、この操作部材を回動操作することによって、係合部材が揺動軸線に近接及び離隔する方向に移動し、これによって、足置き部材の高さを無段階に調整することができる。
【００２０】
また、本発明の請求項５に記載の足置き台によれば、移動案内機構が足置き部材に固定された案内部材と、案内部材に摺動自在に装着された被案内部材とを備え、被案内部材に係合部材及び雌ねじ部材が取り付けられているので、操作移動機構の操作部材を回動操作すると、被案内部材が案内部材に沿って摺動し、これによって、足置き部材の高さを無段階に調整することができる。
【００２１】
また、本発明の請求項６に記載の足置き台によれば、移動案内機構は、足置き部材に配設された一対の案内レール部材と、一対の案内レール部材に移動自在に装着された被案内部材とを備え、被案内部材に係合部材及び雌ねじ部材が取り付けられているので、操作移動機構の操作部材を回動操作すると、被案内部材が一対の案内レールに沿って摺動し、これによって、足置き部材の高さを無段階に調整することができる。
【００２２】
また、本発明の請求項７に記載の足置き台によれば、操作部材の雄ねじ部には、軸方向中間部を境界として相互に逆向きに一対の雄ねじが形成され、また係合部材側には、雄ねじ部の一方の雄ねじに対応した雌ねじ部が設けられた第１雌ねじ部材が設けられているとともに、足置き部材側には、他方の雄ねじに対応した雌ねじ部が設けられた第２雌ねじ部材が設けられているので、一対の逆ねじの作用によって、操作部材の小さい回動量でもって足置き部材を大きく移動させることができる。
【００２３】
また、本発明の請求項８に記載の足置き台によれば、足置き部材の上面には高さ表示部が設けられ、また前記係合部材側には指針が設けられ、指針は足置き部材を貫通して高さ表示部に突出しているので、係合部材の移動に伴って指針が高さ表示部に沿って移動し、この指針が示す表示部の表示を見ることによって、足置き部材の上面の高さを知ることができる。
【００２４】
更に、本発明の請求項９に記載の足置き台によれば、足置き部材の表面の少なくとも一部には、樹脂プレートが配設されているので、この樹脂プレートによって足置き部材の表面を保護することができる。また、この樹脂プレートが透明乃至半透明であるので、例えば、表示部及び指針を備えたものなどにおいては、樹脂プレートを通してこれらを見ることができる。
【図面の簡単な説明】
【００２５】
【図１】本発明に従う足置き台の第１の実施形態を示す斜視図。
【図２】図１の足置き台を分解して背面側から見た分解斜視図。
【図３】図１の足置き台の移動案内機構を示す部分拡大断面図。
【図４】図１の足置き台における足置き部材の表示部及びその近傍を一部切り欠いて示す部分拡大断面図。
【図５】本発明に従う足置き台の第２の実施形態を分解して背面側から見た分解斜視図。
【図６】図５の足置き台における移動案内機構及びその近傍を示す断面図。
【図７】従来の足置き台を示す斜視図。
【図８】図７の足置き台を分解して背面側から見た分解斜視図。
【発明を実施するための形態】
【００２６】
以下、図１〜図６を参照して、本発明に従う足置き台の実施形態について説明する。
【００２７】
第１の実施形態
図１〜図４を参照して、足置き台の第１の実施形態について説明する。図１及び図２において、図示の足置き台２は、足を載せるための足置き部材４と、この足置き部材４を支持するための支持機構６とを備えている。足置き部材４は略矩形状の板状部材から構成され、その両側部８，１０が下方に突出しており、これら下突出側部８，１０間に、後述する移動案内機構１２などが配設されている。
【００２８】
図示の支持機構６は第１及び第２支持部材１４，１６から構成され、第１及び第２支持部材の長さ方向中間部が、連結手段を介して相互に旋回自在に連結されている。この形態では、第１支持部材１４は、幅方向（図１において左上から右下の方向）に所定の間隔をおいて配設された一対の第１アーム部材１８，２０から構成され、また第２支持部材１６は、上記幅方向に所定の間隔をおいて配設された一対の第２アーム部材２２，２４から構成され、第１アーム部材１８，２０及び第２アーム部材２２，２４の軸方向（長手方向）中間部が連結手段２６（例えば、リベット、短軸、ピンなどから構成される）を介して旋回自在に連結されている。
【００２９】
この形態では、一対の第１アーム部材１８，２０の一端部が連結部材２８，３０を介して足置き部材４に揺動自在に連結されている。足置き部材４の片側（図１及び図２において右側）における一側部の裏面（具体的には、その裏面の下突出側部８の内側）には連結ブラケット３２が取り付けられ、この連結ブラケット３２に連結部材２８（例えば、リベット、短軸、ピンなどから構成される）を介して一方の第１アーム部材１８の一端部が揺動自在に連結され、また足置き部材４の片側における他側部の裏面（具体的には、その裏面の下突出側部１０の内側）には他方の連結ブラケット３４が取り付けられ、かかる連結ブラケット３４に他方の連結部材３０（連結部材２８と同様に構成される）を介して他方の第１アーム部材２０の一端部が揺動自在に連結されている。このように構成されているので、一対の第１アーム部材１８，２０は、連結部材２０，３０によって構成される揺動軸線を中心として揺動自在に足置き部材４の片側裏面に取り付けられる。
【００３０】
一対の第２アーム部材２２，２４の一端部間は連結部材３６を介して連結され、この連結部材３６が足置き部材４の他側（図１及び図２において左側）に配設された係合部材３８に着脱自在に係合されるように構成されている。この係合部材３８の構成及びその取付構造などについては、後述する。
【００３１】
一対の第１アーム部材１８，２０の他端部は、剛性を高めるために第１接続部材４０を介して接続されているとともに、それらの他端（第１接続部材４０より突出する端部）には、滑りを防止するための滑り防止部材４２が装着されている。また、一対の第２アーム部材２２，２４の他端部にも、剛性を高めるために第２接続部材４４を介して接続されているとともに、それらの他端（第２接続部材４４より突出する端部）にも、滑り防止部材４６が装着されている。
【００３２】
係合部材３８は、上記移動案内機構１２を介して足置き部材４の裏面に上記揺動軸線に近接及び離隔する方向に移動自在に支持されている。更に説明すると、図示の係合部材３８は略コ字状であり、係合本体部４８の両端部に一対の突出部５２が設けられ、各突出部５２に係合凹部５４が設けられ、一対の第２アーム部材２２，２４の一端部の連結部材３６が係合部材３８の係合凹部５４に着脱自在に係合される。
【００３３】
図３をも参照して、図示の移動案内機構１２は、足置き部材４の裏面に取り付けられた案内部材５６と、この案内部材５６に沿って摺動自在に支持された被案内部材５８から構成されている。案内部材５６は薄いプレート状であり、その断面形状が逆台形状であり、かかる案内部材５６は取付ねじ５７により足置き部材４の裏面に固定される。この案内部材５６は、足置き部材４の長手方向、即ち上記揺動軸線に近接及び離隔する方向に直線状に延びている。また、被案内部材５８は薄いブロック状であり、その内面（足置き部材４の裏面と対向する面）には、案内部材５６の断面形状対応した案内溝６０が設けられ、かかる案内溝６０に案内部材５６が相対的に移動自在に受け入れられている。このように構成されているので、案内部材５６及び被案内部材５８は蟻ほぞ構造に組み合わされ、被案内部材５８は、案内部材５６に案内されて上記揺動軸線に近接及び離隔する方向に摺動自在に支持されている。
【００３４】
この移動案内機構１２に関連して、被案内部材５８を移動案内するための操作移動機構６２が設けられている。この操作移動機構６２は、雄ねじ部６４が設けられた操作部材６６と、雌ねじ部（図示せず）が設けられた雌ねじ部材６８とを備えている。足置き部材４の一端部裏面には、取付ねじ６９によって支持部材７０が取り付けられ、かかる支持部材７０に操作部材６６の中間軸部が回転自在に支持され、この支持部材７０から外側に延びる操作部材６６の一端部に操作部７２が取り付けられ、雄ねじ部６８は支持部材７０から内側に延びる操作部材６６の他側に設けられている。雌ねじ部材６８は被案内部材５８の一端部に取付ねじ７３により取り付けられ、この雌ねじ部材６８の雌ねじ部に操作部材６６の雄ねじ部６４が螺合されている。また、この被案内部材５８の他端部には係合部材３８が装着され、その係合本体部４８が取付ねじ７４によって被案内部材６８に取り付けられている。このように構成されているので、操作部材６６の操作部７２を所定方向（又は所定方向と反対方向）に回動すると、その雄ねじ部６４及び雌ねじ部材６８の雌ねじ部の作用によって、雌ねじ部材６８とともに被案内部材５８（これに取り付けられた係合部材３８）が支持部材７０（換言すると、上記揺動軸線）に近接する方向（又は離隔する方向）に摺動され、その移動は案内部材５６に沿って行われる。
【００３５】
この足置き台２には、足置き部材４の上面までの高さを表示するための表示部７６が設けられている。図４をも参照して、表示部７６は、足置き部材４の上面の他側部（下突出側部１０側）に設けられ、この表示部７６の内側に、被案内部材５８の移動方向に延びる細長いスリット７８が貫通して設けられている。表示部７６には、図４に示すように、足置き部材４の上面までの高さを示す目盛りが施されている。また、この表示部７６に沿って移動するように指針８０が設けられている。指針８０は指針本体部８１を有し、この指針本体部８１が被案内部材５８に取付ねじ８２により取り付けられ、指針本体部８１から足置き部材４のスリット７８を通して上面側に延びる指針部８３の先端部が、この表示部８１の目盛りに対向して位置する。このように構成されているので、被案内部材５８が移動すると、これと一体的に指針８０が移動し、指針８０の指針部８３が示す表示部７６の目盛りを見ることによって、足置き部材４の上面までの高さを容易に知ることができる。
【００３６】
足置き部材４の上面には、実質上全域にわたって樹脂プレート（図示せず）を設けるのが好ましい。樹脂プレートを設けることによって、表示部７６及び指針８０の指針部８３を含む足置き部材４の表面全体が樹脂プレートによって覆われ、これら表面全体を保護することができ、また表示部７６の捲れ、指針８０の指針部８３へのゴミの付着なども防止することができる。このような樹脂プレートは、表示部７６及び指針部８３が上側から目視できるように透明乃至半透明な材料から形成される。尚、表示部７６及び指針８０の指針部８３の保護などを目的とするときには、足置き部材４の表面の少なくとも一部にこれらを覆うように部分的に設けるようにしてもよい。
【００３７】
この形態では、表示部７６を足置き部材４の上面に設けているが、このような構成に限定されず、この表示部７６を足置き部材４の裏面に設けるようにしてもよく、このように構成する場合、足置き部材４のスリット７８を省略することができる。
【００３８】
次に、再び図１及び図２を参照して、上述した足置き台２の使用方法について説明する。この足置き台２を用いるときには、一対の第１アーム部材１８，２０を揺動軸線を中心に揺動させて支持機構６を外側に出し、一対の第２アーム部材２２，２４間の連結部材３６を足置き部材４側の係合部材３８の係合凹部５４に係合させて足置き台２を組み付ける。そして、このように組み付けた状態にて、支持機構６を床面に載置し、椅子に座ってギターを演奏する姿勢でもってにて片足を足置き部材４の上面に載せ、操作部材６６の操作部７２を回動させて足置き部材４の高さを調整すればよい。
【００３９】
操作部材６６の操作部７２を所定方向（又は所定方向と反対方向）に回動すると、操作部材６６の雄ねじ部６４及び雌ねじ部材６８の雌ねじ部の作用によって、被案内部材５８及びこれに取り付けられた係合部材３８が、上記揺動軸線に近接する方向（又は離隔する方向）に摺動される。係合部材３８が上記揺動軸線に近接する方向（又は離隔する方向）に移動すると、一対の第１アーム部材１８，２０と一対の第２アーム部材２２，２４との傾斜が大きく（又は緩やかに）なって足置き部材４の上面が上昇（又は下降）し、この足置き部材４の高さを任意の高さに無段階に調整することができ、その結果、演奏するギター演奏者に最適な高さに高さ調整することができる。
【００４０】
尚、使用後は、連結部材３６と係合部材３８の係合凹部５４との係合状態を解除し、一対の第１アーム部材１８，２０を上記揺動軸線を中心に内側に揺動させるとともに、一対の第２アーム部材２２，２４を連結手段２６を中心に内側に旋回させ、この支持機構６を足置き部材４の裏面側に収納すればよく、このように収納することによって、持運びなどが容易となる。この形態では、この収納状態での連結部材３６と足置き部材４との直接的な当接を防止するために、足置き部材４の裏面に緩衝部材８４（例えば、緩衝ゴムなどから構成される）が設けられている。また、このように収納したときに一対の第２アーム部材２２，２４を接続する第２接続部材４４が操作部材６６に当接するおそれがあるときには、この第２接続部材４４に当接回避用の切欠きを設けるようにしてもよく、或いは第２接続部材４４自体を当接回避するように湾曲させるようにしてもよい。
【００４１】
第２の実施形態
次に、図５及び図６を参照して、第２の実施形態の足置き台について説明する。この台２の実施形態では、移動案内機構に修正が加えられているとともに、指針及びこれに関連する構成が省略されている。尚、この第２の実施形態の足置き台においては、上述した第１の実施形態と実質上同一の部材には同一の参照番号を付し、その説明を省略する。
【００４２】
図５及び図６において、図示の秋置き台２Ａにおいては、移動案内機構１２Ａは、足置き部材４の幅方向（図５において左上から右下の方向、図６において左右方向）に間隔をおいて配設された一対の案内レール８６，８７を備え、これら案内レール８６，８７の両端部が支持ブロック８８，８９（図６において、これらの一方のみを示す）を介して足置き部材４の裏面に取り付けられ、一方の案内レール８６は、下突出側部８の内側にて足置き部材４の裏面から幾分の間隔をおいて長手方向（図５において左下から右上の方向、図６において紙面に垂直な方向）に直線状に延び、他方の案内レール８７は、他方の下突出側部１０の内側にて足置き部材４の裏面から幾分の間隔をおいて長手方向に直線状に延びている。
【００４３】
この移動案内機構１２ａは、更に、プレート状の被案内部材５８Ａを備え、この被案内部材５８Ａの両側部に、一対の案内レール８６，８７に対応して被案内部８８，８９が設けられ、これら被案内部８８，８９は、取付ねじ９２により被案内部材５８Ａに取り付けられる。一対の被案内部８８，８９には、これを軸線方向に貫通して受け孔９０，９１が設けられている。これら受け孔９０，９１の断面形状は、対応する案内レール８６，８７の断面形状に対応し、これら受け孔９０，９１に対応する案内レール８６，８７が相対移動自在に受け入れられている。
【００４４】
このように構成されているので、被案内部材５８Ａは一対の案内レール８６，８７に沿って足置き部材４の長手方向、即ち揺動軸線に近接及び離隔する方向に支持され、かかる方向に摺動自在である。この被案内部材５８Ａには、第１の実施形態と同様に、支持機構６の連結部材３６が着脱自在に係合される係合部材３８、及び操作移動機構６２の操作部材６６を回転自在に支持する雌ねじ部材６８などが取り付けられ、雌ねじ部材６８は例えば溶接などにより固定される。この第２の実施形態のその他の構成は、上述した第１の実施形態と実質上同一である。
【００４５】
この第２の実施形態の足置き台２Ａにおいても、操作移動機構６２の操作部材６６の操作部７２を所定方向（又は所定方向と反対方向）に回動すると、操作部材６６の雄ねじ部６４及び雌ねじ部材６８の雌ねじ部の作用によって、被案内部材５８Ａ（これに装着された係合部材３８）が、一対の案内レール８６，８７に沿って上記揺動軸線に近接する方向（又は離隔する方向）に摺動され、この係合部材３８の移動によって、足置き部材４の高さを任意の高さに無段階に調整することができる。
【００４６】
以上、本発明に従う足置き台の実施形態について説明したが、本発明はかかる実施形態に限定されるものではなく、本発明の範囲を逸脱することなく種々の変更乃至修正が可能である。
【００４７】
例えば、上述した実施形態では、足置き部材４の裏面に支持部材７０を設け、この支持部材７０に操作移動機構６２の操作部材６６を回転自在に支持し、操作部材６６の雄ねじ部６４を被案内部材５８（５８Ａ）に取り付けた雌ねじ部材６８の雌ねじ部（図示せず）に螺合させているが、このように限定されず、操作部材６６の雄ねじ部を、軸方向中間部を境界として相互に逆向きにねじが形成された一対の雄ねじから構成し、一対の雄ねじの一方に対応した雌ねじ部が形成された第１雌ねじ部材を被案内部材５８（５８Ａ）に（即ち、係合部材３８側）に設けるとともに、一対の雄ねじの他方に対応した雌ねじ部が形成された第２雌ねじ部材を足置き部材４側に設けるようにしてもよい。この場合、操作部材の雄ねじ部として一対の逆ねじを用いているので、操作部材の回動量に対する被案内部材の移動量として、第１及び第２の実施形態のものに比して２倍の移動量を確保することができる。
【符号の説明】
【００４８】
２，２Ａ  足置き台
４  足置き部材
６  支持機構
１２，１２Ａ  移動案内機構
１４  第１支持部材
１６  第２支持部材
１８，２０  第１アーム部材
２２，２４  第２アーム部材
２８，３０  連結部材（揺動軸線）
３６  連結部材
３８  係合部材
５４  係合凹部
５６  案内部材
５８，５８Ａ  被案内部材
６２  操作移動機構
６６  操作部材
７６  表示部
８０  指針
８６，８７  案内レール
【図１】
2011103946.tif 000003
【図２】
2011103946.tif 000004
【図３】
2011103946.tif 000005
【図４】
2011103946.tif 000006
【図５】
2011103946.tif 000007
【図６】
2011103946.tif 000008
【図７】
2011103946.tif 000009
【図８】
2011103946.tif 000010